(57)【要約】【課題】枕として使用した際に、テレビやラジオ等のオーディオやＰＣ等から出力される音声等が聞き取り易くなるクッションを提供する。【解決手段】クッション１は、略正方形の６つの壁部１０により略正六面体形状に形成されており、その中心部分には、これらの壁部によりその周囲が全て取り囲まれた空洞部４０が形成されている。また、各壁部１０の中央には開口部２０が形成されており、空洞部４０は、開口部２０を介して外部に連通している。また、壁部１０は、樹脂製であると共に中空の浮き袋状に構成されており、空気バルブ３０を介して、各壁部１０への空気の充填や放出が可能となっている。【選択図】図１
0003185180.tif 000002
【実用新案登録請求の範囲】
【請求項１】
空気の充填が可能な中空の部材として構成された樹脂製の壁部を複数有すると共に、これらの壁部によりその周囲全体が取り囲まれた空洞部が形成されているクッションであって、
前記壁部は、中央に開口部が形成されており、
それぞれの前記壁部は、いずれかの前記壁部の外面側に設けられた空気孔を介して、空気の充填と放出が可能に構成されており、空気が充填されると、弾力性を有した状態となること、
を特徴とするクッション。
【請求項２】
請求項１に記載のクッションにおいて、
前記壁部は、空気が充填された際に、略矩形をなすと共に、略六面体形状をなした状態で前記空洞部を取り囲むよう構成されていること、
を特徴とするクッション。
【請求項３】
請求項２に記載のクッションにおいて、
対面する２つの前記壁部を、それぞれ、第１主壁部，第２主壁部とすると共に、他の前記壁部を側壁部とし、
前記側壁部のうち、対面する２つの前記側壁部を第１，第２側壁部とすると共に、他の対面する２つの前記側壁部を第３，第４側壁部とし、
前記第１主壁部の内部空間は、前記第１，第２側壁部の内部空間と連通していると共に、前記第２主壁部の内部空間は、前記第３，第４側壁部の内部空間と連通しており、
前記第１主壁部と前記第１，第２側壁部とのうちのいずれかの前記壁部の外面側に、前記空気孔が設けられていると共に、前記第２主壁部と前記第３，第４側壁部とのうちのいずれかの前記壁部の外面側に、前記空気孔が設けられていること、
を特徴とするクッション。
【請求項４】
請求項３に記載のクッションにおいて、
前記第１主壁部と前記第１，第２側壁部とから構成される部分を第１部材とすると共に、前記第２主壁部と前記第３，第４側壁部とから構成される部分を第２部材とし、
前記第１部材の外縁をなす前記壁部の辺と、前記第２部材の外縁をなす前記壁部の辺とを熱圧着させることで、空気が充填された際に前記壁部が略六面体形状をなすように、前記第１部材と前記第２部材とが結合され、
さらに、いずれかの前記壁部の前記開口部を利用して、結合された前記第１，第２部材をなす前記壁部の裏表を反転させることで、当該クッションが製造されること、
を特徴とするクッション。
【考案の詳細な説明】
【技術分野】
【０００１】
本考案は、クッションに関する。
【背景技術】
【０００２】
従来、クッションを枕として使用し、横になった状態でテレビを視聴すること等が行われている（例えば、特許文献１）。なお、本出願においてクッションとは、周知のクッションの他、枕を含むものとする。
【先行技術文献】
【特許文献】
【０００３】
【特許文献１】実用新案登録第３０８２０１６号公報
【考案の概要】
【考案が解決しようとする課題】
【０００４】
しかしながら、クッションを枕として使用する際、頭部が横を向いた状態になると、下側に位置する耳がクッションにより塞がれた状態となってしまうため、テレビやラジオ等のオーディオやＰＣ等から出力される音声等が聞き取りにくくなってしまうという問題があった。
【０００５】
本願考案は上記課題に鑑みてなされたものであり、枕として使用した際に、テレビ等から出力される音声等が聞き取り易くなるクッションを提供することを目的とする。
【課題を解決するための手段】
【０００６】
上記課題に鑑みてなされた請求項１に係る考案は、空気の充填が可能な中空の部材として構成された樹脂製の壁部を複数有すると共に、これらの壁部によりその周囲全体が取り囲まれた空洞部が形成されているクッションであって、壁部は、中央に開口部が形成されており、それぞれの壁部は、いずれかの壁部の外面側に設けられた空気孔を介して、空気の充填と放出が可能に構成されており、空気が充填されると、弾力性を有した状態となること、を特徴とする。
【０００７】
このような構成によれば、顔を横に向けた状態でクッションを枕として使用する際に、壁部の開口部に耳が位置するよう頭部の位置を調整しておけば、ユーザの耳には、クッション内部の空洞部と、側方に位置する壁部の開口部を介して外部から音声が伝わる。このため、顔を横に向けた状態でクッションを枕として使用しているにも関らず、下側の耳が塞がれた状態とならず、テレビ等から出力される音声等を聞き取り易くなる。
【０００８】
また、クッションを枕として使用する際に、音声を聞くために無理な姿勢を取る必要が無く、ユーザの体に負担がかからないようにすることができる。
また、該クッションは、空気を充填して使用する構成であるため、ユーザの頭部の形状に応じてその形状が変化すると共に、空気を充填或いは放出することで、容易にその固さを調整することができる。
【０００９】
このため、クッションの外面をユーザの頭部にフィットさせることや、ユーザの好みの固さで使用することができ、個々のユーザの頭部の形状や好みに応じて快適な状態で頭部を支えることができる。
【００１０】
また、該クッションは、樹脂で構成されており、スポンジ等の充填物を有するクッションや繊維により構成されたクッションのように湿気を含むことが無いため、温度や湿度によらずに快適に使用することができる。このため、海やプール等のような場所でも快適に使用することが可能であり、使用場所を選ばず、さらに、細菌の繁殖等を防ぐことができるため、清潔さを保つことができる。
【００１１】
なお、請求項２に記載されているように、壁部は、空気が充填された際に、略矩形をなすと共に、略六面体形状をなした状態で空洞部を取り囲むよう構成されていても良い。
このような構成によれば、枕として使用された際には、ユーザの頭部を安定した状態で支えることができる。
【００１２】
また、請求項３に記載されているように、対面する２つの壁部を、それぞれ、第１主壁部，第２主壁部とすると共に、他の壁部を側壁部とし、側壁部のうち、対面する２つの側壁部を第１，第２側壁部とすると共に、他の対面する２つの側壁部を第３，第４側壁部とし、第１主壁部の内部空間は、第１，第２側壁部の内部空間と連通していると共に、第２主壁部の内部空間は、第３，第４側壁部の内部空間と連通しており、第１主壁部と第１，第２側壁部とのうちのいずれかの壁部の外面側に、空気孔が設けられていると共に、第２主壁部と第３，第４側壁部とのうちのいずれかの壁部の外面側に、空気孔が設けられていても良い。
【００１３】
このような構成によれば、第１主壁部及び第１，第２側壁部に充填された空気の量と、第２主壁部及び第３，第４側壁部に充填された空気の量を、個別に調整することができる。このため、ユーザの好みに合せて、クッションの固さや頭部へのフィット感をより柔軟に調整することが可能となる。
【００１４】
また、請求項４に記載されているように、第１主壁部と第１，第２側壁部とから構成される部分を第１部材とすると共に、第２主壁部と第３，第４側壁部とから構成される部分を第２部材とし、第１部材の外縁をなす壁部の辺と、第２部材の外縁をなす壁部の辺とを熱圧着させることで、空気が充填された際に壁部が略六面体形状をなすように、第１部材と第２部材とが結合され、さらに、いずれかの壁部の開口部を利用して、結合された第１，第２部材をなす壁部の裏表を反転させることで、当該クッションが製造されても良い。
【００１５】
このような構成によれば、クッションを容易に製造することが可能となる。また、第１，第２部材を熱圧着させた後に表裏を反転させることで、熱圧着により壁部の辺に生じた突起物をクッションの内面側に配することができ、クッションの美観や、クッションを使用する際の快適性を向上させることができる。
【図面の簡単な説明】
【００１６】
【図１】本実施形態のクッションの斜視図等である。
【図２】本実施形態のクッションの製造過程を示す説明図である。
【図３】本実施形態のクッションの使用態様を示す説明図である。
【考案を実施するための形態】
【００１７】
以下、本考案の実施形態について図面を用いて説明する。なお、本考案の実施の形態は、下記の実施形態に何ら限定されることはなく、本考案の技術的範囲に属する限り種々の形態を採りうる。
【００１８】
本実施形態のクッション１は、略正方形の６つの壁部１０により略正六面体形状に形成されており、その中心部分には、これらの壁部によりその周囲が全て取り囲まれた空洞部４０が形成されている（図１（ａ）参照）。
【００１９】
また、各壁部１０の中央には開口部２０が形成されており、空洞部４０は、開口部２０を介して外部に連通している。
また、壁部１０は、樹脂製であると共に中空の浮き袋状に構成されており、空気バルブ３０を介して、各壁部１０への空気の充填や放出が可能となっている（図１（ｂ）参照）。そして、各壁部１０は、空気が充填されると弾力性を有した状態となり、クッション１は各壁部１０に空気を充填した状態で使用される。
【００２０】
ここで、これらの壁部のうち、壁部１０ａを第１主壁部１０ａとすると共に、第１主壁部１０ａに対面する壁部１０ｄを第２主壁部１０ｄとする。
また、第１主壁部１０ａに隣接し、対面して配される２つの壁部１０を、第１側壁部１０ｂ，第２側壁部１０ｃとすると共に、第２主壁部１０ｄに隣接し、対面して配される２つの壁部１０を、第３側壁部１０ｅ，第４側壁部１０ｆとする。
【００２１】
第１主壁部１０ａの内部空間は、第１，第２側壁部１０ｂ，１０ｃの内部空間に連通していると共に、第２主壁部１０ｄの内部空間は、第３，第４側壁部１０ｅ，１０ｆの内部空間に連通している。
【００２２】
また、第１主壁部１０ａと、第１，第２側壁部１０ｂ，１０ｃとを第１部材とも記載すると共に、第２主壁部１０ｄと、第３，第４側壁部１０ｅ，１０ｆとを第２部材とも記載する。
【００２３】
また、一例として、第１部材における第１側壁部１０ｂの外面側に空気バルブ３０が設けられていると共に、第２部材における第３側壁部１０ｅの外面側に空気バルブ３０が設けられている。そして、各空気バルブを介して、第１部材，第２部材をなす各壁部１０への空気の充填や放出が行われる。
【００２４】
無論、これに限定されることは無く、第１部材或いは第２部材を構成するいずれかの壁部１０の外面側に空気バルブ３０を設けることができる。
次に、クッション１の製造方法について説明する。クッション１の製造においては、最初に第１部材１１と第２部材１２を製造し、第１部材１１の外縁をなす壁部１０の各辺と、第２部材１２の外縁をなす壁部１０の各辺を熱圧着させることで、これらの壁部１０が略正六面体形状に構成される（図２参照）。
【００２５】
具体的には、第１部材１１の第１側壁部１０ｂの辺１０ｂ−３，第２側壁部１０ｃの辺１０ｃ−３を、それぞれ、第２部材１２の第２主壁部１０ｄの辺１０ｄ−１，１０ｄ−２に熱圧着させる。
【００２６】
また、第２部材１２の第３側壁部１０ｅの辺１０ｅ−３，第４側壁部１０ｆの辺１０ｆ−３を、それぞれ、第１部材１１の第１主壁部１０ａの辺１０ａ−２，１０ａ−１に熱圧着させる。
【００２７】
また、第１部材１１の第１側壁部１０ｂの辺１０ｂ−１，１０ｂ−２を、それぞれ、第２部材１２の第４側壁部１０ｆの辺１０ｆ−１，第３側壁部１０ｅの辺１０ｅ−１に熱圧着させる。
【００２８】
また、第１部材１１の第２側壁部１０ｃの辺１０ｃ−１，１０ｃ−２を、それぞれ、第２部材１２の第４側壁部１０ｆの辺１０ｆ−２，第３側壁部１０ｅの辺１０ｅ−２に熱圧着させる。
【００２９】
これにより、第１，第２部材１１，１２の各壁部１０は、略正六面体形状に結合された状態となる。また、このとき、第１部材１１の第１側壁部１０ｂと、第２部材１２の第３側壁部１０ｅの内面側に、空気バルブ３０が位置する状態となる。
【００３０】
その後、いずれかの壁部１０における開口部２０を利用して、圧着されたこれらの壁部１０の裏表を反転させる。これにより、第１側壁部１０ｂ，第３側壁部１０ｅに設けられた空気バルブ３０が外面側に位置する状態となり、空気バルブ３０を介して第１，第２部材１１，１２に空気を充填することで、クッション１が構成される。
【００３１】
無論、本実施形態のクッション１の製造方法はこれに限定されることは無く、他の方法により製造されても良い。
［効果］
本実施形態によれば、顔を横に向けた状態でクッション１を枕として使用する際に、壁部１０の開口部２０に耳が位置するよう頭部の位置を調整しておけば、ユーザの耳には、クッション１内部の空洞部４０と側方に位置する壁部１０の開口部２０を介して外部から音声が伝わる（図３参照）。
【００３２】
このため、顔を横に向けた状態でクッションを枕として使用しているにも関らず、下側の耳が塞がれた状態とならず、テレビ等の音声等を聞き取り易くなる。また、音声を聞くために無理な姿勢を取る必要が無く、ユーザの体に負担がかからないようにすることができる。
【００３３】
［他の実施形態］
（１）本実施形態のクッション１は、略正六面体形状に形成されているが、略六面体形状に形成されていても良いし、略六面体以外の多面体形状に形成されていても良い。このような場合であっても、同様の効果を得ることができる。
【００３４】
（２）本実施形態のクッション１は、第１部材１１をなす壁部１０ａ〜１０ｃの内部空間と、第２部材１２をなす壁部１０ｄ〜１０ｆの内部空間が、それぞれ連通された構成となっているが、これに限定されることは無い。
【００３５】
具体的には、例えば、全ての壁部１０の内部空間が連通された構成となっていても良く、このような場合には、いずれか１つの壁部１０に空気バルブ３０を設けることが考えられる。
【００３６】
また、例えば、クッション１を構成する６つの壁部１０を、隣接して配される２つの壁部１０の組に分け、各組をなす２つの壁部１０内部空間が連通されている構成としても良い。このような場合であれば、各組をなすいずれかの壁部１０に空気バルブ３０を設けることが考えられる。
【００３７】
また、各壁部１０の内部空間が互いに連通していない構成としても良い。このような場合には、各壁部１０に空気バルブ３０を設け、各壁部１０に個別に空気の充填や放出を行うことが考えられる。
【００３８】
これらの構成を有する場合であっても、同様の効果を得ることができる。
［実用新案登録請求の範囲との対応］
上記実施形態の説明で用いた用語と、実用新案登録請求の範囲の記載に用いた用語との対応を示す。
【００３９】
空気バルブ３０が空気孔に相当する。
【符号の説明】
【００４０】
１…クッション、１０…壁部、１０ａ…第１主壁部、１０ｂ…第１側壁部、１０ｃ…第２側壁部、１０ｄ…第２主壁部、１０ｅ…第３側壁部、１０ｆ…第４側壁部、１１…第１部材、１２…第２部材、２０…開口部、３０…空気バルブ、４０…空洞部。
【図１】
0003185180.tif 000003
【図２】
0003185180.tif 000004
【図３】
0003185180.tif 000005